(57)【要約】【課題】男性用水洗トイレとして、洗浄水の流出圧力を高くしても飛沫が周辺へ飛散しにくく、高い流出圧で充分な洗浄力を発揮させることができ、小水の飛沫が便器外へ飛散するのを効果的に抑止し得るものを提供する。【解決手段】便器面２の正面側が上端から下部にわたって下方ほど内奥側に位置する前傾部２１を構成し、前傾部２１の下端から凹湾曲部２２を経て排水口３への下り勾配部２３へ移行する。便器面２の正面側の上部に、前傾部２１の傾斜に沿って斜め下向きに洗浄水Ｗを吐出する洗浄ノズル４を備える。【選択図】図１
2014070376.tif 000002
【特許請求の範囲】
【請求項１】
便器面の正面側が、その上端から下部にわたって下方ほど内奥側に位置する前傾部を構成し、この前傾部の下端から凹湾曲部を経て排水口への下り勾配部へ移行すると共に、該便器面の正面側の上部に、前記前傾部の傾斜に沿って斜め下向きに洗浄水を吐出する洗浄ノズルを備えることを特徴とする男性用水洗トイレ。
【請求項２】
便器面の前記前傾部における上部側の垂直面に対する前傾角度が下部側の同前傾角度よりも大きく設定されてなる請求項１に記載の男性用水洗トイレ。
【請求項３】
便器面の前記前傾部の上端が便器本体の頂部前壁の下端に連続してなる請求項１又は２に記載の男性用水洗トイレ。
【請求項４】
便器面を流下した洗浄水を回収して便器面洗浄に再使用する洗浄水循環機構を備えてなる請求項１〜３のいずれかに記載の男性用水洗トイレ。
【発明の詳細な説明】
【技術分野】
【０００１】
本発明は、男性の小水専用に使用される男性用水洗トイレに関する。
【背景技術】
【０００２】
男性用水洗トイレでは、便器面を清浄に保つために、排尿後の使用者の押しボタン操作、光学センサ等の人体検知手段による自動操作、タイマー設定による一定時間置きの自動操作等により、便器面の上部に設けた洗浄ノズルから洗浄水を流下させるようになっている。また、近年の男性用水洗トイレとして、洗浄水の消費量を減らして大幅な節水を可能にすると共に、除菌、消臭、防汚等の目的で洗浄水に添加された薬剤成分が効力を残したまま廃棄されるという無駄を減らすために、自動的に使用後の洗浄水を回収して繰り返し再使用する循環式のものが普及しつつある。この循環式の男性用水洗トイレでは、人体検知手段によって利用者の存在を検知し、利用者の小水を排水管へ導く一方、利用者が離れてから切換弁によって排水流路を循環洗浄水槽側へ切換え、便器面を流下した洗浄水を循環洗浄水槽内へ流入させて回収し、この回収した洗浄水を循環ポンプ及び吐出ポンプを介して洗浄ノズルに供給するように構成されている（例えば、特許文献１）。そして、この循環式を含めて従来の男性用水洗トイレの便器面は、正面側の上部から排水口に近い高さまで垂直になっているのが一般的である。
【先行技術文献】
【特許文献】
【０００３】
【特許文献１】特許第３８５３８２５号公報
【発明の概要】
【発明が解決しようとする課題】
【０００４】
しかしながら、従来の男性用水洗トイレでは、洗浄ノズルからの洗浄水の流出圧力が高くなると、排水口へ向けて緩傾斜になった便器面下部で多量の飛沫を生じて周辺へ飛散することから、洗浄水の流出圧力に限界があり、洗浄力を充分に高められないという難点がある上、便器面の正面側が垂直になっているため、放尿の角度によっては便器垂直面で跳ね返った小水の飛沫が便器外へ飛散し易いといった問題もあった。
【０００５】
本発明は、上述の事情に鑑みて、男性用水洗トイレとして、洗浄水の流出圧力を高くしても飛沫が周辺へ飛散しにくく、もって高い流出圧で充分な洗浄力を発揮させることができると共に、小水の飛沫が便器外へ飛散するのを効果的に抑止し得るものを提供することを目的としている。
【課題を解決するための手段】
【０００６】
上記目的を達成するための手段を図面の参照符号を付して示せば、請求項１の発明に係る男性用水洗トイレは、便器面２の正面側が、その上端から下部にわたって下方ほど内奥側に位置する前傾部２１を構成し、この前傾部２１の下端から凹湾曲部２２を経て排水口３への下り勾配部２３へ移行すると共に、該便器面２の正面側の上部に、前傾部２１の傾斜に沿って斜め下向きに洗浄水Ｗを吐出する洗浄ノズル４を備えることを特徴としている。
【０００７】
請求項２の発明は、上記請求項１の男性用水洗トイレにおいて、便器面２の前記前傾部２１における上部側２１ａの垂直面に対する前傾角度が下部側２１ｂの同前傾角度よりも大きく設定されてなる構成としている。
【０００８】
請求項３の発明は、上記請求項１又は２の男性用水洗トイレにおいて、便器面２の前傾部２１の上端が便器本体１の頂部前壁１ａの下端に連続してなる構成としている。
【０００９】
請求項４の発明は、上記請求項１又は２の男性用水洗トイレにおいて、便器面２を流下した洗浄水Ｗを回収して便器面洗浄に再使用する洗浄水循環機構Ｓを備えてなる構成としている。
【発明の効果】
【００１０】
次に、本発明の効果について図面の参照符号を付して説明する。まず、請求項１の発明に係る男性用水洗トイレにおいては、洗浄ノズル４より吐出された洗浄水Ｗは、便器面２の正面側において前傾部２１に沿って流下し、凹湾曲部２２及び下り勾配部２３を経て下端の排水口３へ流入する。しかして、該便器面２の前傾部２１が下部ほど内奥側に位置し、且つ該前傾部２１の最内奥の下端から流下面が凹湾曲部２２を介して滑らかに下り勾配部２３へ移行するから、洗浄ノズル４からの洗浄水Ｗの流出圧力を高くしても、便器面２の下部では飛沫が発生しにくい上、その発生位置が便器面２の最内奥になるため、少量の飛沫が発生しても便器外までは飛散せず、もって高い流出圧力で充分な洗浄力を発揮させることができる。また、放尿の際、便器面２の正面側が前傾部２１になっているから、該前傾部２１に当たった小水Ｕの反射方向が垂直面に対する反射方向よりも下向きになることに加え、便器面２の形状から使用者が放尿方向を下部奥側へ向け易いという心理的効果もあるため、小水Ｕの跳ね返りの飛沫が便器外へ飛散することも少なくなる。一方、このように便器面２の正面側が前傾部２１をなすことで、便器本体１の上部の内部空間１０が大きくなるから、この内部空間１０を利用してポンプやタンク等の様々な機器類や付属物品等を配置できる。
【００１１】
請求項２の発明によれば、便器面２の前傾部２１における上部側２１ａの前傾角度が下部側２１ｂよりも大きいため、上部側２１ａに向けて高く放尿されても、小水Ｕの跳ね返りが確実に下向きになり、便器外への飛沫の飛散が防止されると共に、洗浄ノズル４より上部側２１ａに沿って吐出された洗浄水Ｗが下部側２１ｂには角度をもって強く当たることになるから、小水で汚れ易い下部側２１ｂが効率よく洗浄される。
【００１２】
請求項３の発明によれば、便器面２の前傾部２１の上端が便器本体１の頂部前壁１ａの下端に連続していることで、便器本体１の上部の内部空間１０がより大きくなり、それだけ該内部空間１０における機器類や付属物品等の配置構成の自由度が高まると共にサイズの制約も少なくなる。
【００１３】
請求項４の発明によれば、循環式の男性用水洗トイレとして、洗浄水循環機構Ｓを構成する機器類、例えば循環ポンプＰ１やサブタンクＴ２、制御装置Ｃ等を便器本体１の上部の広い内部空間１０に収容でき、それらのメンテナンスも上位置で容易になる。
【図面の簡単な説明】
【００１４】
【図１】本発明の一実施形態に係る男性用水洗トイレの縦断側面図である。
【図２】同男性用水洗トイレの正面図である。
【図３】同男性用水洗トイレの洗浄ノズルを示し、（ａ）は縦断正面図、（ｂ）は縦断側面図である。
【図４】同男性用水洗トイレの洗浄水循環機構の流路構成を例示する模式図である。
【発明を実施するための形態】
【００１５】
以下に、本発明の一実施形態として洗浄水循環機構を備えた循環式の男性用水洗トイレについて、図面を参照して具体的に説明する。なお、本発明は該実施形態の構成に限定されるものではない。
【００１６】
図１及び図２に示すように、この男性用水洗トイレは、便器本体１の前面側に構成される凹形の便器面２の底部に目皿６を嵌合した排水口３、同上部に洗浄ノズル４を備えると共に、便器本体１の頂部前壁１ａには利用者の存在を検知するための光学センサ等よりなる人体検知手段５が設けられている。そして、排水口３の直下には、後述する洗浄水循環機構を構成する切換弁ユニット７を介して、下水道に繋がるトラップ８ａ付きの排水管８が接続されている。
【００１７】
便器面２の正面側は、図１に示すように、その上端から下部にわたって下方ほど内奥側に位置する前傾部２１を構成し、この前傾部２１の下端から凹湾曲部２２を経て排水口３への緩やかな下り勾配部２３へ移行しており、これによって底部が奥まって前後方向に広くなっている。そして、前傾部２１は、若干凹湾曲した上部側２１ａの垂直面に対する前傾角度が下部側２１ｂの同前傾角度よりも大きく設定されている。また、前傾部２１の上端は便器本体１の頂部前壁１ａの下端に連続しており、該前傾部２１の傾斜形態と相俟って便器本体１の上部に広い内部空間１０が構成されている。
【００１８】
洗浄ノズル４は、図３に示すように、正面視で横長楕円形のケース４０の下縁に沿って複数（図では６つ）の吐出孔４１が形成されており、導入口４２から流入した洗浄水Ｗを左右方向の拡がりをもって便器面２の前傾部２１に沿って斜め下向きに吐出するように構成されている。なお、ケース４０は、便器面２を構成する便器正面壁１ｂの取付穴１１に後方から嵌合し、その後端フランジ部４３において取付ビス４４によって該便器正面壁１ｂに固着されている。
【００１９】
上記構成の男性用水洗トイレにあっては、洗浄ノズル４より吐出された洗浄水Ｗは、便器面２の正面側において前傾部２１に沿って流下し、凹湾曲部２２及び下り勾配部２３を経て下端の排水口３へ流入する。このとき、該便器面２の前傾部２１が下部ほど内奥側に位置し、且つ該前傾部２１の最内奥の下端から流下面が凹湾曲部２２を介して滑らかに下り勾配部２３へ移行していることから、洗浄ノズル４からの洗浄水Ｗの流出圧力を高くしても、便器面２の下部では飛沫が発生しにくく、しかも飛沫の発生位置が便器面２の最内奥になるため、少量の飛沫が発生しても便器外までは飛散しない。従って、この男性用水洗トイレでは、洗浄水Ｗを高い流出圧力で吐出させて、充分な洗浄力を発揮させることができる。
【００２０】
一方、放尿の際には、便器面２の正面側が前傾部２１になっているから、図１に示すように、該前傾部２１に当たった小水Ｕの反射方向が垂直面に対する反射方向よりも下向きになることに加え、便器面２の底部側が奥まった形状から、視覚的に使用者が放尿方向を下部奥側へ向け易いという心理的効果もあるため、小水Ｕの跳ね返りの飛沫が便器外へ飛散することも少なくなり、それだけ便器周辺の汚れが減って清掃容易になる。
【００２１】
特に実施形態のように、便器面２の前傾部２１における上部側２１ａの前傾角度が下部側２１ｂよりも大きくなっておれば、図１の符号Ｕａの如く上部側２１ａに向けて高く放尿されても、小水Ｕの跳ね返りが確実に下向きになるから、便器外への飛沫の飛散が防止される。また、洗浄ノズル４より前傾角度の大きい上部側２１ａに沿って吐出された洗浄水Ｗは、前傾角度の小さい下部側２１ｂには角度をもって強く当たることになるから、位置的に小水で汚れ易い下部側２１ｂを効率よく確実に洗浄できる。なお、前傾部２１の前傾角度は、特に制約されないが、上部側２１ａで垂直面に対して２０〜４０°程度、下部側２１ｂで同じく５〜１５°程度が好適である。
【００２２】
更に、このような男性用水洗トイレでは、便器面２の正面側が前傾部２１をなすことで、便器本体１の上部の内部空間１０が大きくなるから、この内部空間１０を利用してポンプやタンク等の様々な機器類や付属物品等を配置できる。特に実施形態のように、便器面２の前傾部２１の上端が便器本体１の頂部前壁１ａの下端に連続した構造では、便器本体１の上部の内部空間１０がより大きくなり、それだけ該内部空間１０における機器類や付属物品等の配置構成の自由度が高まると共にサイズの制約も少なくなる。とりわけ、循環式の男性用水洗トイレの場合、洗浄水循環機構Ｓを構成する大きくの機器類を便器本体内に配置する必要があるが、図１及び図２に示すように、上部の広い内部空間１０に、循環ポンプＰ１、吐出ポンプＰ２、サブタンクＴ２、薬液タンクＴ３、制御装置Ｃ等を収容でき、これによってメンテナンス作業も上位置で容易に行えるという利点がある。
【００２３】
この男性用水洗トイレの洗浄水循環機構の一例を図４に示す。この洗浄水循環機構Ｓでは、排水口３の直下の切換弁ユニット７により、排水流路を排水管８側と洗浄水貯留タンクＴ１への回収流路Ｌ１側とに切換え可能になっている。そして、洗浄水貯留タンクＴ１内の洗浄水Ｗは、循環ポンプＰ１によって循環流路Ｌ２を通して上位のサブタンクＴ２へ送り込まれ、更に該サブタンクＴ２から吐出ポンプＰ２によって循環流路Ｌ３を通して洗浄ノズル４へ送られ、該洗浄ノズル４から便器面２へ吐出される。なお、図の仮想線枠内は便器本体１上部の内部空間１０を示し、循環ポンプＰ１、吐出ポンプＰ２、サブタンクＴ２、薬液タンクＴ３が該内部空間１０に納まっている。
【００２４】
なお、サブタンクＴ２には、底部より開閉弁Ｖ１を介して垂下するドレイン流路Ｌ４と、余剰の洗浄水Ｗを溢流させるオーバーフロー流路Ｌ５とが接続されており、両流路Ｌ４，Ｌ５からの洗浄水Ｗが洗浄水貯留タンクＴ１内へ排出される。また、洗浄水貯留タンクＴ１には、その底部から開閉弁Ｖ２を介して排水管１２に繋がるドレイン流路Ｌ６が接続されている。更に、洗浄水貯留タンクＴ１上には、水道管（図示省略）から開閉弁Ｖ３を介して新しい洗浄水Ｗを供給する給水路Ｌ７の出口と、薬液タンクＴ３からの薬液Ｄを開閉弁Ｖ４を介して供給する薬液供給路Ｌ８の出口とが配置している。そして、洗浄水貯留タンクＴ１内にはフロートスイッチＦが設けてあり、貯留している洗浄水Ｗが補給を要する量まで減少した際に、それを該フロートスイッチＦが液面レベルより検出し、給水路Ｌ７及び薬液供給路Ｌ８の開閉弁Ｖ３，Ｖ４を所定時間だけ開作動させる。
【００２５】
この洗浄水循環機構Ｓが例えば２段洗浄方式に設定されている場合、待機状態では排水口３からの排水流路が排水管８側に繋がっており、利用者が便器面２の前に立ったことを人体検知手段５にて検出すると、その時点もしくは利用者が排尿後に離れた直後に、初期洗浄として洗浄ノズル４から少量（例えば１５０ｍｌ程度）の洗浄水Ｗが吐出され、その前洗浄の洗浄水Ｗと小水Ｕが排水管８へ排出される。次いで、利用者が離れてから一定時間後（例えば８秒後）、切換弁ユニット７が排水流路を回収流路Ｌ１側に切換えると共に、本洗浄として洗浄ノズル４から比較的多量（例えば１０００ｍｌ程度）の洗浄水Ｗが流され、この本洗浄の洗浄水Ｗが回収流路Ｌ１より洗浄水貯留タンクＴ１へ導かれて回収される。
【００２６】
なお、洗浄水循環機構Ｓとしては、図４で例示した以外の様々な機構を採用でき、例えば、サブタンクＴ２を省略して代わりに逆止弁を流路に介在させ、洗浄水貯留タンクＴ１から直接に洗浄水Ｗを洗浄ノズル４へ供給する方式としてもよい。また、本発明の男性用水洗トイレは、該洗浄水循環機構Ｓを持たないものも包含する。その他、本発明においては、便器本体１の構造、便器面２の形状、排水口３の構造、洗浄ノズル４の形状及び取付構造、人体検知手段５の位置、便器本体１の内部空間１０に納める機器類の種類及び形状と配置構成、配管構成、切換弁ユニット７の切換機構等、細部構成については実施形態以外に種々設計変更可能である。
【符号の説明】
【００２７】
１          便器本体
１ａ        頂部前壁
２          便器面
２１        前傾部
２１ａ      上部側
２１ｂ      下部側
２２        凹湾曲部
２３        下り勾配部
３          排水口
４          人体検知手段
Ｓ          洗浄水循環機構
Ｕ，Ｕａ    小水
Ｗ          洗浄水
【図１】
2014070376.tif 000003
【図２】
2014070376.tif 000004
【図３】
2014070376.tif 000005
【図４】
2014070376.tif 000006